(57)【要約】【課題】着信を検知してから着信通知機能が作動するまでの短時間の間に、時間をかけずに簡易に、端末装置周辺の環境に応じた着信通知制御を行う【解決手段】マイクを介して環境音量を取得し、移動検知センサから移動または停止を示す移動有無情報を取得する。そして、環境音量が所定閾値を越えたか否かを示す音量判定情報と、移動有無情報とからなる鳴動判定情報を、所定の間隔で更新する。着信を検知した場合には、鳴動判定情報に基づいて、着信を外部に通知する着信通知機能の作動量を決定する。【選択図】図１
2012049896.tif 000002
【特許請求の範囲】
【請求項１】
マイクを介して環境音量を取得する環境音量取得部と、
移動検知センサから移動または停止を示す移動有無情報を取得する移動有無情報取部と、
前記環境音量が所定閾値を越えたか否かを示す音量判定情報と、前記移動有無情報とからなる鳴動判定情報を、所定の間隔で更新する鳴動判定情報更新部と、
着信を検知した場合には、前記鳴動判定情報に基づいて、前記着信を外部に通知する着信通知機能の作動量を決定する着信通知制御部と、
を備えることを特徴とする端末装置。
【請求項２】
前記着信通知制御部は、着信を検知した場合に、前記鳴動判定情報を読取り、当該鳴動判定情報に格納される前記移動有無情報が停止を示し、当該鳴動判定情報に格納される前記音量判定情報が前記所定の閾値未満を示す場合に、前記着信を外部に通知する着信通知機能の作動量を低下させる
ることを特徴とする請求項１に記載の端末装置。
【請求項３】
前記移動検知センサが加速度センサであり、前記移動有無情報が示す移動または停止の情報は加速度である
ことを特徴とする請求項１または請求項２に記載の端末装置。
【請求項４】
前記着信通知機能がスピーカまたはバイブレータの何れか一方または両方であり、前記着信通知制御部は、前記スピーカが発信する着信音または前記バイブレータの作動強度の何れか一方または両方の作動量を低下させる
ことを特徴とする請求項１から請求項３の何れか一項に記載の端末装置。
【請求項５】
前記着信通知機能が前記スピーカおよび前記バイブレータの両方を有し、
前記着信通知制御部は、前記鳴動判定情報に格納される前記移動量有無情報が移動を示す場合に、前記スピーカを設定済みの音量で作動させ、前記バイブレータの作動強度を強く作動させる
ことを特徴とする請求項１から請求項３の何れか一項に記載の端末装置。
【請求項６】
前記着信通知制御部は、前記鳴動判定情報に格納される前記移動量有無情報が停止を示し、前記鳴動判定情報に格納される前記音量判定情報が前記所定の閾値を超えた場合に、前記スピーカの作動を停止し、前記バイブレータの作動強度を強く作動させる
ことを特徴とする請求項４または請求項５に記載の端末装置。
【請求項７】
端末装置における着信通知方法であって、
マイクを介して環境音量を取得し、
移動検知センサから移動または停止を示す移動有無情報を取得し、
前記環境音量が所定閾値を越えたか否かを示す音量判定情報と、前記移動有無情報とからなる鳴動判定情報を、所定の間隔で更新し、
着信を検知した場合に、前記鳴動判定情報を読取り、当該鳴動判定情報に格納される前記移動有無情報が停止を示し、当該鳴動判定情報に格納される前記音量判定情報が前記所定の閾値未満を示す場合に、前記着信を外部に通知する着信通知機能の作動量を低下させる
ことを特徴とする着信通知方法。
【請求項８】
端末装置のコンピュータを、
マイクを介して環境音量を取得する環境音量取得手段、
移動検知センサから移動または停止を示す移動有無情報を取得する移動有無情報取手段、
前記環境音量が所定閾値を越えたか否かを示す音量判定情報と、前記移動有無情報とからなる鳴動判定情報を、所定の間隔で更新する鳴動判定情報更新手段、
着信を検知した場合に、前記鳴動判定情報を読取り、当該鳴動判定情報に格納される前記移動有無情報が停止を示し、当該鳴動判定情報に格納される前記音量判定情報が前記所定の閾値未満を示す場合に、前記着信を外部に通知する通知手段の作動量を低下させる着信通知制御手段、
として機能させることを特徴とするプログラム。
【発明の詳細な説明】
【技術分野】
【０００１】
本発明は、端末装置において鳴動する着信音等の作動を制御する端末装置及びその着信通知方法並びにそのプログラムに関する。
【背景技術】
【０００２】
近年、端末装置を用いた通話に加え、当該端末装置でメール等によるコミュニケーションや情報交換（メールマガジンなど）を行うことが活発になってきており、ユーザの予期せぬ時間に携帯端末等に着信がある場合が増加している。端末装置における着信時には、着信音やバイブレータの振動によってユーザに着信を通知することが一般的であるが、その着信音やバイブレータの振動強度が響くことが不適切な環境（会議、打ち合わせなど）においては、マナーモード（着信音ＯＦＦ、バイブレータＯＮとなるモード）を設定する必要がある。しかし、環境に応じた着信通知機能の動作設定変更は、ユーザがその都度行う必要があり負担が大きい。そこで、ユーザが意識せずに携帯端末が周囲の環境に応じて自動的に着信通知機能の動作設定を行うことを可能とする技術が、特許文献１に開示されている。
【先行技術文献】
【特許文献】
【０００３】
【特許文献１】特開２００６−３２５０４１号公報
【発明の概要】
【発明が解決しようとする課題】
【０００４】
ところで、特許文献１の技術では、着信通知の動作を行う前に環境音や移動有無の解析等の処理を行っているが、着信を検知してから着信通知機能が作動するまでの短時間の間に、環境音や移動有無を解析する必要があり、当該解析処理を、時間をかけずに簡易に行う技術が望まれている。
【０００５】
そこでこの発明は、上述の課題を解決することのできる端末装置及びその着信通知方法並びにそのプログラムを提供することを目的としている。
【課題を解決するための手段】
【０００６】
上記目的を達成するために、本発明は、マイクを介して環境音量を取得する環境音量取得部と、移動検知センサから移動または停止を示す移動有無情報を取得する移動有無情報取部と、前記環境音量が所定閾値を越えたか否かを示す音量判定情報と、前記移動有無情報とからなる鳴動判定情報を、所定の間隔で更新する鳴動判定情報更新部と、着信を検知した場合に、前記鳴動判定情報を読取り、当該鳴動判定情報に格納される前記移動有無情報が停止を示し、当該鳴動判定情報に格納される前記音量判定情報が前記所定の閾値未満を示す場合に、前記着信を外部に通知する通知部の作動量を低下させる着信通知制御部と、を備えることを特徴とする端末装置である。
【０００７】
また本発明は、端末装置における着信通知方法であって、マイクを介して環境音量を取得し、移動検知センサから移動または停止を示す移動有無情報を取得し、前記環境音量が所定閾値を越えたか否かを示す音量判定情報と、前記移動有無情報とからなる鳴動判定情報を、所定の間隔で更新し、着信を検知した場合に、前記鳴動判定情報を読取り、当該鳴動判定情報に格納される前記移動有無情報が停止を示し、当該鳴動判定情報に格納される前記音量判定情報が前記所定の閾値未満を示す場合に、前記着信を外部に通知する通知部の作動量を低下させることを特徴とする着信通知方法である。
【０００８】
また本発明は、端末装置のコンピュータを、マイクを介して環境音量を取得する環境音量取得手段、移動検知センサから移動または停止を示す移動有無情報を取得する移動有無情報取手段、前記環境音量が所定閾値を越えたか否かを示す音量判定情報と、前記移動有無情報とからなる鳴動判定情報を、所定の間隔で更新する鳴動判定情報更新手段、着信を検知した場合に、前記鳴動判定情報を読取り、当該鳴動判定情報に格納される前記移動有無情報が停止を示し、当該鳴動判定情報に格納される前記音量判定情報が前記所定の閾値未満を示す場合に、前記着信を外部に通知する通知手段の作動量を低下させる着信通知制御手段、として機能させることを特徴とするプログラムである。
【発明の効果】
【０００９】
本発明によれば、着信を検知してから着信通知機能が作動するまでの短時間の間に、音量や移動有無の解析処理に時間をかけずに容易にその解析に応じた着信通知制御を行うことが可能となる。
【図面の簡単な説明】
【００１０】
【図１】端末装置の構成を示す図である。
【図２】端末装置の内部構成を示す機能ブロック図である。
【図３】鳴動判定情報のデータ例を示す図である。
【図４】端末装置の処理フローを示す第１の図である。
【図５】端末装置の処理フローを示す第２の図である。
【発明を実施するための形態】
【００１１】
以下、本発明の一実施形態による端末装置を図面を参照して説明する。
図１は同実施形態による端末装置の構成を示す図である。
この図において、符号１は端末装置である。当該端末装置は、例えば図１で示すような折り畳み式の携帯電話端末であり、文字や画像の情報を表示する液晶画面２、ユーザからの操作入力を受け付ける十字キーやテンキーなどのキーボタンを備えた操作キー３、ユーザの発する声や環境音を拾うマイク４、着信音等を発するスピーカ５、写真撮影を行うカメラ６などが備えられている。
【００１２】
図２は端末装置の内部構成を示す機能ブロック図である。
この図が示すように、端末装置１は、制御部１００、通信部１０１、操作部１０２、表示部１０３、マイク動作処理部１０４、スピーカ動作処理部１０５、環境音量取得部１０６、移動検知センサ（加速度センサ）１０７、移動有無情報取得部１０８、鳴動判定情報更新部１０９、鳴動判定情報記憶部１１０、バイブレータ動作処理部１１１、着信通知制御部１１２、電源部１１３、カメラ動作処理部１１４を備えている。
【００１３】
ここで、制御部１００は、端末装置１の各処理部を制御する。
通信部１０１は、アンテナを介して基地局装置などと通信を行う処理部である。
操作部１０２は、操作キー３からの入力を受け付ける処理部である。
表示部１０３は、液晶画面２へ情報を出力する処理部である。
マイク動作処理部１０４は、端末装置に備えられたマイク４からの音の集音処理を行う処理部である。
スピーカ動作処理部１０５は、制御部から入力した音の信号をスピーカ５へ出力する等の処理を行う処理部である。
環境音量取得部１０６は、マイク動作処理部１０４の取得した環境音量等の所定の音の音量を検出する処理部である。
【００１４】
また、移動検知センサ１０７は、本実施形態においては加速度センサであり、端末装置１の加速度を検出する処理部である。
移動有無情報取得部１０８は、移動検知センサ１０７（加速度センサ）から出力された加速度の情報を鳴動判定情報更新部へ出力する処理部である。
鳴動判定情報更新部１０９は、環境音量取得部１０６の取得した環境音等の音量が所定閾値以上か未満かを示す音量判定情報と、移動有無情報取得部１０８が取得した加速度が閾値以上か未満かを示す移動有無情報と、からなる鳴動判定情報を、所定の間隔で更新する処理部である。
鳴動判定情報記憶部１１０は、鳴動判定情報を記憶する記憶部である。
バイブレータ動作処理部１１１は、端末装置１の内部に備わるバイブレータの動作を制御する処理部である。
着信通知制御部１１２は、着信を検知した場合において、鳴動判定情報に基づきスピーカ５から出力着信音の音量や、バイブレータの振動強度の制御を行う処理部である。
電源部１１３は、端末装置１の各処理部へ電力を供給する。
カメラ動作処理部１１４は、カメラ６を制御する処理部である。
【００１５】
そして、本実施形態による端末装置は、マイク４を介して環境音などの所定音の音量を取得し、移動検知センサ１０７から移動または停止を示す移動有無情報を取得する。また、環境音量が所定閾値を越えたか否かを示す音量判定情報と、移動有無情報とからなる鳴動判定情報を、所定の間隔で更新する。そして、端末装置は、着信を検知した場合には、鳴動判定情報に基づいて、着信を外部に通知する着信通知機能の作動量を決定する。
このような処理により、着信を検知してから着信音などの着信通知をするまでの間に、解析処理に時間をかけずに、容易に、端末装置１の周囲の環境に応じた着信通知の動作を制御することができる。
【００１６】
図３は鳴動判定情報のデータ例を示す図である。
この図が示すように、鳴動判定情報は、移動または停止を示す１ｂｉｔの移動有無情報Ｄ０と、環境音量が所定閾値を越えたか否かを示す１ｂｉｔの音量判定情報Ｄ１と、から構成される情報である。
なお、本実施形態においては、移動有無情報Ｄ０において、移動を示す場合には“０”、停止を示す場合には“１”がデータとして格納される。
また、音量判定情報Ｄ１において、環境音量が閾値以上を示す場合には“０”、閾値未満を示す場合には“１”がデータとして格納される。
【００１７】
図４は端末装置の処理フローを示す第１の図である。
図５は端末装置の処理フローを示す第２の図である。
以下、本実施形態による端末装置１の処理フローについて順を追って説明する。
まず、マイク動作処理部１０４は、所定の間隔でマイク４から環境音を収集し（ステップＳ１０１）、環境音量取得部１０６へ出力する。そして環境音量取得部１０６は、収集した環境音の音量レベルを検出する（ステップＳ１０２）。当該環境音の音量は、端末装置１の周辺で発生している全ての音を区別せずに環境音全体を１つの音と判断して検出してもよいし、環境音から会話音、電車走行音、車走行音、などを音の周波数によって分離して、何れかの音を１つの音と判断して検出するようにしてもよい。そして、環境音取得部は検出した音量レベルを鳴動判定情報更新部１０９へ出力する。
また、移動有無情報取得部１０８は、所定の間隔で移動検知センサ１０７（加速度センサ）から加速度を取得する（ステップＳ１０３）。そして、移動有無情報取得部１０８は、加速度を鳴動判定情報更新部１０９へ出力する。
【００１８】
そして、鳴動判定情報更新部１０９は、所定の間隔で環境音量取得部１０６から音量レベルを取得し、また、所定の間隔で移動有無情報取得部１０８から加速度を取得する。なお、環境音や加速度が取得される上述の所定の間隔は、例えば１分や５分などであるが、当該所定の間隔で環境音や加速度の取得処理を行っても、端末装置１を充電せずに使用し続けることのできる時間が十分取れるよう端末装置１の電池容量を考慮して設定された時間間隔であれば、どのような間隔であってもよい。
【００１９】
そして、鳴動判定情報更新部１０９は、音量レベルと加速度を取得すると、音量レベルの閾値をメモリ等から読取り、取得した音量レベルと音量レベル閾値とを比較する（ステップＳ１０４）。なお、音量レベル閾値は、例えば、端末装置の周りの環境が静かな環境であるか否かを判定するための閾値である。しかしながら、環境音から所定の音（例えば、会話音）を検出する場合において、当該所定の音の大小を判定するための閾値は、その所定の音のみが端末装置１の周りにおいて大きいか否かを判定するための閾値となる。例えば、環境音から検出する所定の音が会話音であれば、近くの幹線道路で多くの車が走行している音が聞こえるような環境音が大きい場合であっても、会話音の音量が閾値以下であれば、端末装置の回りの音量レベルは小さいと判定されることとなる。
そして、鳴動判定情報更新部１０９は、取得した音量レベルと音量レベル閾値の比較結果に基づいて、音量判定情報を生成する（ステップＳ１０５）。なお、取得した音量レベルが閾値以上であれば“０”、閾値未満であれば“１”を示すこととなる。
【００２０】
また、鳴動判定情報更新部１０９は、移動有無情報取得部１０８から取得した加速度が、移動を示すかまたは停止を示すかを判定するための加速度の閾値をメモリ等から読取り、取得した加速度が閾値以上か否かを判定する（ステップＳ１０６）。そして閾値未満であれば停止、閾値以上であれば移動と判定する。例えば、加速度が１ｍ／ｓ２未満であれば停止、１ｍ／ｓ２以上であれば移動と判定する。または、０ｍ／ｓ２であれば停止、それ以外の加速度であれば移動と判定するようにしてもよい。そして、移動有無情報取得部１０８は、移動であれば“０”、停止であれば“１”を示す移動有無情報を生成する（ステップＳ１０７）。そして、鳴動判定情報更新部１０９は、生成した音量判定情報と移動有無情報とを格納した鳴動判定情報を生成し、鳴動判定情報記憶部１１０へ記録する。このとき、既に鳴動判定情報記憶部１１０に鳴動判定情報が格納されている場合には、その格納されている鳴動判定情報を、新たな鳴動判定情報へ更新する（ステップＳ１０８）。このような処理により鳴動判定情報記憶部１１０に記録されている鳴動判定情報は、所定の間隔で更新される。そして、鳴動判定情報更新部１０９は、更新終了かを判定し（ステップＳ１０９）、電源等がＯＦＦされることにより更新終了と判定するまで、上述の処理を繰り返す。
【００２１】
そして、着信通知制御部１１２は電源がＯＮとなっている間は、着信有無を判定しており（ステップＳ１１０）、通話受信信号またはメール受信信号などを、無線を介して通信部１０１が受信すると、制御部１００を介して着信通知制御部１１２が着信を検知する。すると着信通知制御部１１２は、鳴動判定情報記憶部１１０から鳴動判定情報を読み取る（ステップＳ１１１）。そして着信通知制御部１１２は、鳴動判定情報から移動有無情報を読取り、当該移動情報が移動“０”を示すか、または停止“１”を示すかを判定する（ステップＳ１１２）。次に、着信通知制御部１１２は、鳴動判定情報から音量判定情報を読取り、当該音量判定情報が閾値以上“０”を示すか、または閾値未満“１”を示すかを判定する（ステップＳ１１３）。
【００２２】
そして、鳴動判定情報に格納される移動情報が停止“１”、かつ鳴動判定情報に格納される音量判定情報が閾値未満“１”を示す場合には、取得した音の音量レベルが閾値未満であり停止しているような環境であるため、静粛な会議の場など、着信音等の端末装置の着信通知動作を控える場所である可能性が高いとし、着信通知制御部１１２は、スピーカ動作処理部１０５へ着信音の鳴動ＯＦＦを通知し（ステップＳ１１４）、またバイブレータ動作処理部１１１へバイブレータの動作強度を弱にするよう通知する（ステップＳ１１５）。これにより、スピーカ動作処理部１０５は着信時の着信音の鳴動を停止し、また、バーブレータ動作処理部が動作強度を弱くバイブレータを作動させる。
【００２３】
また、鳴動判定情報に格納される移動情報が停止“１”、かつ鳴動判定情報に格納される音量判定情報が閾値以上“０”を示す場合には、取得した音の音量レベルが閾値以上であり停止しているような環境は、端末装置の着信通知動作がある程度許容される場所である可能性が高いため、着信通知制御部１１２は、スピーカ動作処理部１０５へ着信音の鳴動ＯＦＦを通知し（ステップＳ１１６）、またバイブレータ動作処理部１１１へバイブレータの動作強度を強にするよう通知する（ステップＳ１１７）。これにより、スピーカ動作処理部１０５は着信時の着信音の鳴動を停止し、また、バーブレータ動作処理部が動作強度を強くバイブレータを作動させる。
【００２４】
また、鳴動判定情報に格納される移動情報が移動“０”を示す場合には、鳴動判定情報に格納される音量判定情報が閾値以上“０”または閾値未満“１”の何れを示す場合においても、端末装置の着信通知動作が全く許容される場所である可能性が高いと判定し、着信通知制御部１１２は、スピーカ動作処理部１０５へ着信音の鳴動ＯＮを通知し（ステップＳ１１８）、またバイブレータ動作処理部１１１へバイブレータの動作強度を強にするよう通知する（ステップＳ１１９）。これにより、スピーカ動作処理部１０５は着信時の着信音を鳴動させ、また、バーブレータ動作処理部が動作強度を強くバイブレータを作動させる。
【００２５】
なお、着信通知機能がスピーカまたはバイブレータの何れか一方のみであり、着信通知制御部１１２は、スピーカが発信する着信音またはバイブレータの作動強度の何れか一方の作動量を低下させるようにしてもよい。
【００２６】
以上、本発明の実施形態について説明したが、上述の処理によれば、所定の間隔で鳴動判定情報を更新しておき、着信があった場合には、鳴動情報を読み込んで、その鳴動判定情報に格納されている移動有無情報と音量判定情報の組み合わせに対応する着信音の鳴動やバイブレータの作動に関する着信通知制御を直ちに行う。
これにより、着信を検知してから着信通知機能が作動するまでの短時間の間に、音量や移動有無の解析処理に時間をかけずに容易にその解析に応じた着信通知制御を行うことが可能となる。
また、端末装置の環境に応じた着信通知機能の動作をユーザの設定作業無しに行うことができ、ユーザの設定負担を軽減することができる。
【００２７】
なお、上述の端末装置は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００２８】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００２９】
１・・・端末装置
１００・・・制御部
１０１・・・通信部
１０２・・・操作部
１０３・・・表示部
１０４・・・マイク動作処理部
１０５・・・スピーカ動作処理部
１０６・・・環境音量取得部
１０７・・・移動検知センサ
１０８・・・移動有無情報取得部
１０９・・・鳴動判定情報更新部
１１０・・・鳴動判定情報記憶部
１１１・・・バイブレータ動作処理部
１１２・・・着信通知制御部
１１３・・・電源部
１１４・・・カメラ動作処理部
【図１】
2012049896.tif 000003
【図２】
2012049896.tif 000004
【図３】
2012049896.tif 000005
【図４】
2012049896.tif 000006
【図５】
2012049896.tif 000007